Podtech/llm-jp-corpus-v4-ja_patent huggingface dataset:
(57)【要約】      （修正有）【課題】ファッション性を高めることができる衣服を提供する。【解決手段】衣服１にポケット２を取り付ける際、ポケット２の裏側に、予め熱を加えると圧着する接着剤を塗る。接着剤はポケットの縁から５ｍｍ程度の縁全体にあたる接着部４に塗ってある。ポケット２の開け閉めは、ファスナー３により行う。本衣服は、デニム地とポケットに縫製を施さないため、見栄えがすっきりとした印象を与える。また、ポケットの形状を問わないので、星型であっても良く、その場合煩雑に縫製することもないので、製造に時間がかからない。【選択図】図１
0003167026.tif 000002
【実用新案登録請求の範囲】
【請求項１】
デニム地の衣服に、胸元付近にポリウレタン素材でできたポケットを、前記ポケット裏側に熱加工用接着剤を付け、圧着させたことを特徴とする衣服。
【請求項２】
前記ポケットの形状が丸いことを特徴とする請求項１記載の衣服。
【請求項３】
前記ポケットの形状が、四角又は三角であることを特徴とする請求項１記載の衣服。
【考案の詳細な説明】
【技術分野】
【０００１】
本考案は、デニム地の衣服に、ポリウレタン素材を圧着したポケットを施した衣服に関する。
【背景技術】
【０００２】
デニム地の服に、ポケットを付ける場合、一般的に、デニム地を用いて、縫製をする。
【０００３】
ポケットの位置を明確にするため、デニム地の色とは異なる糸、例えば、黄色を用いることで、縫い目を目立たせることで、ファッションを楽しむことが一般的である。  
【先行技術文献】
【特許文献】
【０００４】
【特許文献１】特開２００６−３２８６２５
【考案の概要】
【考案が解決しようとする課題】
【０００５】
しかしながら、デニム地の衣服に、デニム地のポケットを縫製すると、それ以外の生地による組み合わせによるファッションを楽しむことができない。
【０００６】
そこで、本考案は、ファッション性を高めるため、ポリウレタン素材からなるポケットをデニム地に施した衣服を提供する。
【課題を解決するための手段】
【０００７】
デニム地の衣服に、胸元付近にポリウレタン素材でできたポケットを、熱加工用の接着剤をつけ、圧着させたことを特徴とする衣服である。
【０００８】
また、デニム地の衣服に、胸元付近にポリウレタン素材でできたポケットを、熱加工用の接着剤をつけ、圧着させたことを特徴とする衣服であり、そのポケットの形状が丸いことを特徴とする。
【０００９】
更に、デニム地の衣服に、胸元付近にポリウレタン素材でできたポケットを、熱加工用の接着剤をつけ、圧着させたことを特徴とする衣服であり、そのポケットの形状が三角や四角を特徴とする。
【考案の効果】
【００１０】
本考案の衣服は、デニム地とポケットに縫製を施さないため、見栄えがすっきりとした印象を与える。また、ポケットの形状を問わないので、星型であっても良く、その場合煩雑に縫製することもないので、製造に時間がかからない。
【図面の簡単な説明】
【００１１】
【図１】図１は、本考案の実施の形態に係る衣服でありポケットが施された状態を示す正面図である。
【図２】図１のポケット部分の拡大図である。
【考案を実施するための形態】
【００１２】
図１は、本考案の実施の形態に係る衣服でありポケットが施された状態を示す正面図である。図２は、図１のポケット部分の拡大図である。
【００１３】
図１に示す衣服１では、ポケット２を取り付ける際に、ポケット２の裏側に、予め熱を加えると圧着する接着剤を塗る。このとき、ポケットの縁から５ｍｍ程度の縁全体にあたる接着部４に接着剤を塗っておくことが望ましい。本実施例は、ポケット２の裏地の縁全体に接着剤を塗ったため、ポケット２の開け閉めは、ファスナー３により行う。
【００１４】
上述したようにポケット２の開閉はファスナー３で行うが、もちろん、ポケット裏側の接着部４の上部だけ接着剤を塗らないで、ポケットの上部を開くようにして、上部から物を入れてもよい。
【００１５】
実施例のポケット２は、丸形状だが、三角形、四角形等どのような形状でも可能である。時代の流行により、星型等であっても良い。ポケット２の裏面に接着剤を塗ることができれば、形状は問わない。
【産業上の利用可能性】
【００１６】
本考案に係る衣服は、衣服の製造メーカーに、デニム地以外のポケットを提供することで、産業上の利用可能性がある。
【符号の説明】
【００１７】
１  衣服
２  ポケット
３  ファスナー
４  接着部
【図１】
0003167026.tif 000003
【図２】
0003167026.tif 000004
(57)【要約】      （修正有）【課題】ブロック等を持ち上げる際、ブロック等の荷重を受ける部々を面で受ける様に変位自在に動き、ブロック等の集中荷重による変形を防ぐことや、ジャッキの押す位置のズレを防止することが出来るジャッキの受け面自在装置を提供する。【解決手段】ジャッキのロッド側先端に固設される一部球面体の先端金具１とその先端金具１の上部に球面体を受け、変位自在に配置された受け金具２と先端金具１から受け金具２が外れない様に受け金具２に取付けられた外れ止メ金具３を備え付けられたジャッキ受け面自在装置である。【選択図】図３
0003167080.tif 000002
【実用新案登録請求の範囲】
【請求項１】
ジャッキのロッド側先端に固設される一部球面体状の先端金具と、該先端金具の上部に球面体が当接して摺動自在に装着された受け金具と、該受け金具が前記先端金具から外れない様に取付けられた外れ止メ金具とから構成されていることを特徴とする受け面自在装置。
【請求項２】
球面体と球面体を受ける部々には動きを滑らかにするためにグリス注入口を穿設したことを特徴とする請求項１記載の受け面自在装置。
【考案の詳細な説明】
【技術分野】
【０００１】  本発明は、ブロック等を持ち上げる際、ブロック等の荷重を受ける部々は面で受ける様に変位自在に動き、ブロック等の集中荷重による変形を防ぐことや、ジャッキを押す位置のズレを防止することが出来る有用なジャッキの受け面自在装置に関するものである。
【背景技術】
【０００２】  従来、ブロック等を複数ヶ所での持ち上げにあっては、均等に上げることが出来ず、荷重を受ける面が固定で平らな面であり、面全体で受ける事が出来ずブロック等を傷つけたり変形させることがあった。
【考案の概要】
【考案が解決しようとする課題】
【０００３】  しかしながら、上記の従来の固定で平らな受け面では面全体で均等に受ける事が出来ず、ある一点で荷重を受け、傷をつけたり変形させたりしてしまうなどの問題を有する。又、ジャッキを押す位置のズレを防止し、安全な作業が出来るジャッキの受け面自在装置が望まれていた。【０００４】  この考案は、上記のような従来の問題点及び課題に鑑み、その課題を解決すべく創案されたものであって、その目的とするところはブロック等を持ち上げる際、ブロック等の荷重を受ける部々を面で受ける様に変位自在に動き、ブロック等の集中荷重による変形を防ぐことや、ジャッキの押す位置のズレを防止することが出来る有用なジャッキの受け面自在装置を提供することにある。
【課題を解決するための手段】
【０００５】    以上の目的を達成するために、この考案はジャッキのロッド側先端に固設される一部球面体状の先端金具と、該先端金具の上部に球面体が当接して摺動自在に装着された受け金具と、該受け金具が前記先端金具から外れない様に取付けられた外れ止メ金具を少なくとも装備した手段よりなるものである。【０００６】    ここで好ましい態様として、球面体と球面体を受ける部々には動きを滑らかにするためにグリス注入口を穿設するのがよい。
【考案の効果】
【０００７】  以上の記載よりこの考案に係るジャッキの受け面自在装置によれば、ブロック等を持ち上げる際、ブロック等の荷重を受ける部々を面で受ける様に変位自在に対応し、ブロック等を傷つけたり変形させる事が少なくなる。又、荷重を受ける部々を面で受ける様に変位自在に対応する事でジャッキを押す位置のズレを防止し、安全な作業が出来る。
特にブロック等を複数ヶ所で、しかも時間差で持ち上げる時などは、荷重を受ける面が変位自在に動くので安全な作業が出来る。
【図面の簡単な説明】
【図１】この考案の実施の形態を示すジャッキ受け面自在装置の正面図である。
【図２】この考案の実施の形態を示すジャッキ受け面自在装置の平面図である。
【図３】この考案の実施の形態を示すジャッキ受け面自在装置の断面図である。
【考案を実施するための形態】
【０００８】  以下、図面に記載の発明の実施の形態に基づいて、この発明をより具体的に説明する。
【実施例】ここで、図１はジャッキ受け面自在装置の正面図、図２はジャッキ受け面自在装置の平面図、図３はジャッキ受け面自在装置の断面図である。【０００９】ジャッキ受け面自在装置はブロック等を持ち上げる際に荷重を受ける部々を面で受ける様に変位自在に動き、ブロック等の集中荷重による変形を防ぐことや、ジャッキの押す位置ズレを防止するために使用されるもので、受け金具（２）はブロック等を直接受ける部分であり、ブロック等の動きにあった先端金具（１）と摺動自在に変位すべく組み付けられるものなどから主に構成されるジャッキ受け面自在装置について説明する。【００１０】  図１、図２、図３、において受け金具（２）はブロック等を受ける面は平らで真円形状とし、ブロック等を受ける反対面は先端金具（１）が摺動自在に変位出来る様に球体面を受けられる様に凹んだ形状からなる。先端金具（１）が受け金具（２）内で摺動自在に変位出来る様に広めの球面体を受ける加工が施されている。又、中央と中央付近の２ヶ所には滑らかな変移が出来る様にグリス注入口（４）を設ける。【００１１】  先端金具（１）が受け金具（２）内で摺動自在に変位出来る様に一部を球面体とし、球体面と反対面はジャッキのロッド（５）を取付けるネジ加工が施されている。又、ジャッキのロッド（５）と先端金具（１）は弛み止めとし、この考案の実施の形態では４ヶ所のネジ加工がジャッキのロッド（５）に施され、先端金具（１）も同様に４ヶ所の穴加工が施されている。又、そのネジ頭が出っ張らない様にざぐり加工が施されている。【００１２】外れ止メ金具（３）は受け金具（２）と先端金具（１）が外れない様に、先端金具（１）のくびれた部を囲み、この考案の実施の形態では１２ヶ所のネジで受け金具（２）に固着されている。形状は段つきのリング形で１２ヶ所の穴加工が施されている。又、そのネジ頭が出っ張らない様にざぐり加工が施されている。【００１３】  注入口（４）にはグリスニップル（６）を取付け、グリスの注入が簡単に出来る様に設置する。【００１４】  なお、この考案は上記考案の実施の形態に限定されるものではなく、この考案の精神を逸脱しない範囲で種々の改変をなし得ることは勿論である。
【産業上の利用可能性】
【００１５】  このジャッキ受け面自在装置は、ブロック等を持ち上げる際に荷重を面で受ける様に変位自在に対応し、ブロック等を傷つけたり変形させる事が少なくなる様な期待が出来る。又、ジャッキを押す位置のズレを防止し、安全な作業が期待できる。さらに、ブロック等を移動する際、クレーンの使用範囲だけでなく移動する事が出来、又移動台車に昇降装置が不要となり移動台車の軽量化としても利用できる。
【符号の説明】１          先端金具
２          受け金具
３          外れ止メ金具
４          注入口
５          ジャッキのロッド
６          グリスニップル
【図１】
0003167080.tif 000003
【図２】
0003167080.tif 000004
【図３】
0003167080.tif 000005
(57)【要約】      （修正有）【課題】発電エネルギー分野で、牛馬を主体とするその他ラクダ等の諸動物のさく引力を利用した発電エネルギーの蓄電を目的とする動物力発電装置を提供する。【解決手段】本動物力発電装置では、躯体構造の本体１は、中央部の両側の１組の車輪２が、大スプロケット３を保持した共有同一軸４で支持され、本装置が動物により、さく引されると、車輪２は軸４と共に大スプロケット３が本体１に装着された発電機５をチェーン連動で、増速回転させ、発電して、同装備の蓄電池６に蓄電できる。さく引方向は、さく引力Ｆの方向に、旋回自由形キャスター７で方向の自由を保持する。【選択図】図１
0003167058.tif 000002
【実用新案登録請求の範囲】
【請求項１】
本動物力発電装置の本体（１）を支持移動して、発電力源となる左右１組の車輪（２）は、装置中央部の軸（４）に装着され、本装置がさく引されると、回転移動し、軸（４）に固定装着された大スプロケット（３）を回転させ、発電機（５）を増速回転して、発電し、蓄電池（６）に蓄電する動物力発電装置。前部には旋回自由型キャスター（７）で方向変化に備えている。
【考案の詳細な説明】
【考案の属する技術的分野】
【０００１】  本考案は発電エネルギー分野で、牛馬を主体とするその他ラクダ等の諸動物のさく引力を利用した発電エネルギーの蓄電を目的とする動物力発電装置を具体化しようとするものである。
【背景技術】
【０００２】  従来は、風力、水力、波浪、地熱、有機物のエネルギー化等が一般的エネルギー源として、利用されている。
【考案が解決しようとする課題】
【０００３】  そこで更に新分野として牧畜動物のさく引力を地球環境好転化の一助として、発電・蓄電共有装置化の技術分野の具体化を提案するものである。
【課題を解決するための手段】
【０００４】  本考案の技術手段を図面で説明する。本体（１）の中央部の両側面に同一軸（４）に装備した一対の車輪（２）で支持された本発電装置を牧畜動物（牛、馬、ラクダ等）でさく引するときの車両回転軸（４）の回転エネルギーを以って発電・蓄電の可能化を画策した。
【実施例】
【０００５】  図面により説明する。本動物発電装置では、躯体構造の本体（１）は、中央部の両側の１組の車輪（２）が大スプロケット（３）を保持した共有同一軸（４）、で支持され、本装置が動物により、さく引されると、車輪（２）は軸（４）で支持され、本装置が動物により、さく引されると、車輪（２）は軸（４）と共に大スプロケット（３）が本体（１）に装着された発電機（５）をチェーン連動で、増速回転させ、発電して、同装備の蓄電池（６）に蓄電できる。さく引方向はさく引力Ｆの方向に旋回自由型キャスター（７）で方向の自由を保持する。
【考案の効果】
【０００６】  本動物発電装置は、構造的にシンプルで、小型構造化出来、エネルギーの変換機構が不要で、牛馬等の比較的大きな力を効率よく、計画的に利用できることは自然エネルギー（風力、水力、太陽光、波浪、等）とは異なる重要な利点である。以上の見地からして、極めてコスト安で、発電の新分野の開拓として、計画的に多量発電が可能であり、牧畜産業の振興となる。種の保存が心配されている木曽馬などに利用すれば解決策となる。
【図面の簡単な説明】
【図１】図面は本考案の見取図である。
【符号の説明】（１）は本体（２）は車輪（３）は大スプロケット（４）は軸（５）は発電機（６）は蓄電池（７）はキャスター
【図１】
0003167058.tif 000003
【手続補正書】
【提出日】平成22年8月30日(2010.8.30)
【手続補正１】
【補正対象書類名】実用新案登録請求の範囲
【補正対象項目名】全文
【補正方法】変更
【補正の内容】
【実用新案登録請求の範囲】
【請求項１】
本体（１）は中央部両側に配備した車輪（２）を大スプロケット（３）を固定し、内蔵した軸（４）で支持され、後部には軸（４）と平行に大スプロケット（３）と発電機（５）と一体化した小スプロケットが対抗するように配備した発電機（５）をチェ−ン駆動発電とし、本体（１）の前部に設置した蓄電池（６）と発電機（５）を電導線で連結した構造で、本体（１）を、動物力でさく引すれば、発電して、蓄電池（６）に蓄電される構造で、矢印のＦ方向にさく引するとき、本体（１）の前部に設置した旋回自由形キャスター（７）で、安定化と方向変化を計った構造の動物力発電装置。
【手続補正２】
【補正対象書類名】図面
【補正対象項目名】図１
【補正方法】変更
【補正の内容】
【図１】
0003167058.tif 000004
【手続補正書】
【提出日】平成22年11月18日(2010.11.18)
【手続補正１】
【補正対象書類名】実用新案登録請求の範囲
【補正対象項目名】全文
【補正方法】変更
【補正の内容】
【実用新案登録請求の範囲】
【請求項１】
本体（１）は中央部両側に配備した車輪（２）が大スプロケット（３）を固定し、内蔵した軸（４）で支持され、後部には軸（４）と平行に大スプロケット（３）と発電機（５）と一体化した小スプロケットが対向するように配備した発電機（５）をチェ−ン駆動で発電し、本体（１）の前部に設置した蓄電池（６）と発電機（５）を電導線で連結した構造で、本体（１）を動物力でけん引すれば発電し、蓄電池（６）に蓄電される構造で、本体（１）の前部に設置した旋回自由形キャスタ−（７）で、安定化と方向変化を計った構造の動物力発電装置。
(57)【要約】      （修正有）【課題】リールシートとリールの金属性の足の間に台座を設置し、塗装面を保護できる様にしたリールシートを提供する。【解決手段】リールの足は円弧状に湾曲した形状である為、リールシート１に接触する部分は前後４箇所とほぼ決まっている。台座４を、特に左右横方向に摩擦する可能性の高い前部の２箇所に装着する。この台座４によって、リール２がリールシート１の塗装面に直接触れることなく脱着できるようになり、横方向に摩擦したとしても、塗装等の剥がれを回避することができる。同様に、リール取り付けネジ３の先端部がリールシート１に接触する部分にも台座４を設置する。【選択図】図１
0003167060.tif 000002
【実用新案登録請求の範囲】
【請求項１】
リールの金属製の足の部分が直接リールシートの塗装面に直接接触しないよう台座を付けたリールシート
【請求項２】
リール取り付けネジの先端部が直接リールシートの塗装面に接触しないよう台座を付けたリールシート
【考案の詳細な説明】
【技術分野】
【０００１】この発明は、リールシートの表面に台座を設置し、塗装面を保護することのできるようにしたリールシートである。
【背景技術】
【０００２】通常、アルミニウム合金やマグネシウム合金製のリールシートには表面保護の為に腐食防止処理もしくは塗装を施すことが多い。リールを装着する際、リール取り付けネジの先端、及び、リールの金属製の足の部分が直接リールシートの塗装面と接触していた。
【考案の概要】
【考案が解決しようとする課題】
【０００３】これらには次の欠点があった。
リール取り付けネジの先端部やリールの金属製の足の部分が、直接リールシートと接触していた為、塗装面に傷が付き、脱着を繰り返すと摩擦し、やがては塗装が剥がれ、腐食してしまうおそれがあった。
【課題を解決するための手段】
【０００４】リールシート本体と、ネジ及びリールの足が当たる場所に台座を付けて、直接塗装面に接触しないようにした。
【図面の簡単な説明】
【０００５】
【図１】本発明のリールを装着した状態の正面図である。
【図２】正面拡大図である。
【図３】平面拡大図である
【図４】底面拡大図である
【図５】台座の斜視図
【符号の説明】
【０００６】１リールシート本体
２リール
３リール取り付けネジ
４台座
【図１】
0003167060.tif 000003
【図２】
0003167060.tif 000004
【図３】
0003167060.tif 000005
【図４】
0003167060.tif 000006
【図５】
0003167060.tif 000007
【手続補正書】
【提出日】平成22年12月9日(2010.12.9)
【手続補正１】
【補正対象書類名】実用新案登録請求の範囲
【補正対象項目名】全文
【補正方法】変更
【補正の内容】
【実用新案登録請求の範囲】
【請求項１】
リールを金属製の足によって取り付けるリールシートにおいて、金属製の足とリールシートとの間に台座を設けることで、リールの金属製の足の部分がリールシートの塗装面に直接接触しないようにしたリールシート。
【請求項２】
リールをリール取り付けネジによって取り付けるリールシートにおいて、リール取り付けネジとリールシートとの間に台座を設けることで、リール取り付けネジの先端部が直接リールシートの塗装面に接触しないようにしたリールシート。
(57)【要約】      （修正有）【課題】醤油、ソースなどをかけても、料理の味を損なわない皿を提供する。【解決手段】皿に傾斜をつけて、皿の中の粘度の小さい流動体を、低い方にあつめる。【選択図】図１
0003167084.tif 000002
【実用新案登録請求の範囲】
【請求項１】
食器用皿に傾斜をもたせたことを特徴とする皿。
【考案の詳細な説明】
【技術分野】
【０００１】  本考案は、食器として使用可能な素材で出来た皿に、傾斜をもたせたものに関するものである。
【背景技術】
【０００２】  現在市販されている食器用皿には、一般的に云う傾斜はつけられてない。
【考案の開示】
【考案が解決しょうとする課題】
【０００３】  日常使用される食器用の皿は、いろいろなデザインがあって、かなり多様化してはいるが、基本的には、円形、楕円形、方形、長方形、多角形となっており、底部は平らか、わずかにくぼみみ、縁部はやや上方に立ち上る構造となっている。
このような背景の中で、例えば、焼いたサンマを盛り付ける場合は、通常長方形又は長楕円形の皿を用い、大根おろしなども添えられるものと思われるが、水分の多い大根おろしに醤油がプラスされた汁が、焼いたサンマの下に流れこみ、食物の温度を下げ、食感も損なうなど、万人の望まない結果となっている。
他にもこれに類似する不具合はいろいろとあり、とんかつに付いてくるキャベツにソースをかける時や、煮魚にかかった煮汁で魚が煮汁びたしにな時るなど、また、白菜漬けに代表される漬物類に、部分的に少量の醤油をかける場合、時として多量に掛ける事もあって、食味と健康の面でも不具合である。
本考案は、このような料理本来の味を損なうと云う面と、塩分の過剰摂取による健康上の不具合をなくすことを課題とする。
【課題を解決するための手段】
【０００４】  この課題を解決するための請求項１の考案は、皿に前後左右の方向性があれば、向かって後側の高台を高くし、手前側の高台は低くする。皿に方向性が無いものは、使用時の安定を保持出来る位置で高低差をつける。
【考案の効果】
【０００５】  皿の手前側を後側より低くすることによって、粘度の低い醤油、ソースドレッシングなどは手前に集まるため、奥に置かれた料理に干渉する不具合がなくなる。
【考案を実施するための最良の形態】
【０００６】  皿の形は円形、楕円形、方形、長方形、多角形など、形も大きさも多岐に亘るため、皿の最良の傾斜角度と安定を求めて高台を作成する。
【図面の簡単な説明】
【０００７】
【図１】  本考案に係る長方形皿の断面図である。
【図２】  本考案に係る長方形皿の展開図である。
【符号の説明】
【０００８】１      皿部
２      高台
【図１】
0003167084.tif 000003
【図２】
0003167084.tif 000004
(57)【要約】      （修正有）【課題】ブロック等をジャッキで持ち上げ横引きを行う際、ジャッキの横方向の荷重を軽減し、ジャッキの押す位置のズレを防止することが出来るジャッキの受け面ローラー装置を提供する。【解決手段】ジャッキ受け面ローラー装置はブロック等をジャッキで持ち上げ横引きを行うと横方向に荷重が掛る事によりローラーが回転し、ジャッキに横方向の荷重が軽減される。その結果ジャッキを押す位置のズレを防止し、安全な作業が出来る様に使用されるものである。ローラー２はブロック等を直接受ける部分であり、ブロック等の動きに応じ回転する。又、受け金具１はそのローラー２に挿入される軸３を受ける部々であり、ジャッキのロッド６が差し込まれる様に装着されるものなどから受け面ローラー装置を構成する。【選択図】図４
0003167088.tif 000002
【実用新案登録請求の範囲】
【請求項１】
ジャッキのロッド側先端に装着される受け金具と、該受け金具に取付けられる軸と、該軸を挿入する回転自在のローラーとから構成されていることを特徴とする受け面ローラー装置。
【考案の詳細な説明】
【技術分野】
【０００１】  本発明は、ブロック等をジャッキで持ち上げ横引きを行う際、ジャッキで持ち上げた状態でブロック等を強引に横方向に移動させることで、ジャッキに横方向の荷重が掛り大きな災害の要因となっていた。そこで、ジャッキの横方向の荷重を軽減し、ジャッキの押す位置のズレを防止することが出来る有用なジャッキの受け面ローラー装置に関するものである。
【背景技術】
【０００２】  従来、ブロック等を短い距離の移動にあっては、ジャッキ受け面は固定で平らな面であり、受け面とブロック等の摩擦も大きくジャッキに掛る横方向の荷重が大きいので少しずつ横引きを行って定位置まで移動していく方法で、作業効率が悪く大きな災害を招くことがあった。
【考案の概要】
【考案が解決しようとする課題】
【０００３】  しかしながら、上記の従来の固定で平らな受け面では受け面とブロック等の摩擦も大きく、簡単な移動が出来ず、作業効率が悪く大きな災害を招くなどの問題を有する。又、ジャッキを押す位置のズレを防止し、安全な作業が出来るジャッキの受け面ローラー装置が望まれていた。【０００４】  この考案は、上記のような従来の問題点及び課題に鑑み、その課題を解決すべく創案されたものであって、その目的とするところはブロック等をジャッキで持ち上げ横引きを行う際、ジャッキで持ち上げた状態でブロック等を強引に移動させ、そのジャッキに定格以上の横荷重が掛り大きな災害の要因となっていた。そこでジャッキの横方向の荷重を軽減し、ジャッキの押す位置のズレを防止することが出来る有用なジャッキの受け面ローラー装置を提供することにある。
【課題を解決するための手段】
【０００５】    以上の目的を達成するために、この考案はジャッキのロッド側先端に装着される受け金具と、該受け金に具取付けられる軸と、該軸を挿入する回転自在のローラーとを少なくとも装備した手段よりなるものである。
【考案の効果】
【０００６】  以上の記載よりこの考案に係るジャッキの受け面ローラー装置によれば、ブロック等をジャッキで持ち上げ、そのブロック等を横方向に移動させるとローラーが回転し、ジャッキに掛る横荷重を軽減することでジャッキを押す位置のズレを防止する事が出来、安全な作業が出来る。
【図面の簡単な説明】
【図１】  この考案の実施の形態を示す受け面ローラー装置の正面図である。
【図２】  この考案の実施の形態を示す受け面ローラー装置の平面図である。
【図３】  この考案の実施の形態を示す受け面ローラー装置の側面図である。
【図４】  この考案の実施の形態を示す受け面ローラー装置の断面図である。
【考案を実施するための形態】
【０００７】  以下、図面に記載の発明の実施の形態に基づいて、この発明をより具体的に説明する。
【実施例】ここで、図１は受け面ローラー装置の正面図、図２は受け面ローラー装置の平面図、図３は受け面ローラー装置の側面図である。図４は受け面ローラー装置の断面図である。【０００８】  ジャッキ受け面ローラー装置はブロック等をジャッキで持ち上げ横引きを行うと横方向に荷重が掛る事によりローラーが回転し、ジャッキに横方向の荷重が軽減される。その結果ジャッキを押す位置のズレを防止し、安全な作業が出来る様に使用されるものである。ローラー（２）はブロック等を直接受ける部分であり、ブロック等の動きに応じ回転する。又、受け金具（１）はそのローラー（２）に挿入される軸（３）を受ける部々であり、ジャッキのロッド（６）が差し込まれる様に装着されるものなどから主に構成される受け面ローラー装置について説明する。【０００９】  図１、図２、図３、図４において受け金具（１）は軸（３）を挿入する貫通の穴加工が施され、その軸（３）を固定するキープレート（４）を取付けるネジ加工が両側に施され、側面より見てＵ型の形状とする。【００１０】  ローラー（２）は軸（３）が挿入される短い円形の丸パイプ形状とし内側の穴は軸（３）が挿入され、軽く回転出来るように少し大きめの穴加工とする。【００１１】  軸（３）は円柱の丸鋼からなり両側にキープレート（４）が取付けられるように半円形の段付に加工している。【００１２】  キープレート（４）は両側から軸（３）が抜けない様にする部品で、長方形のプレートから成り取付けの穴加工が２ヶ所に施されている。【００１３】  スペーサー（５）はローラー（２）の位置を安定させるための部品で短い円形の丸パイプ形状とする。【００１４】  なお、この考案は上記考案の実施の形態に限定されるものではなく、この考案の精神を逸脱しない範囲で種々の改変をなし得ることは勿論である。又、この発明における上記考案の実施するための形態ではローラーは円形の短いパイプ形状であったが、回転を円滑にすべるベアリングを設置することも出来る。
【産業上の利用可能性】
【００１５】  この受け面ローラー装置は、ブロック等をジャッキで持ち上げ横引きを行う際、ブロック等を横方向に移動させることでローラーが回転し、ジャッキに掛る横荷重を軽減することで、ジャッキを押す位置のズレを防止し安全な作業が出来る。さらに、現状使用のジャッキにも装着出来る。
【符号の説明】１          受け金具
２          ローラー
３          軸
４          キープレート
５          スペーサー
６          ジャッキのロッド
【図１】
0003167088.tif 000003
【図２】
0003167088.tif 000004
【図３】
0003167088.tif 000005
【図４】
0003167088.tif 000006
(57)【要約】      （修正有）【課題】断熱効果とマイナスイオン効果を取り入れたヘアドライヤー用グローブを提供する。【解決手段】外側の素材には綿の布、中間の素材にはマイナスイオンを発生させる物質を付けた布、内側の素材には断熱の布を使用した三層構造の布体でヘアドライヤー用断熱マイナスイオングローブを形成する。指を自在に動かすことが出来るように該グローブは５本指の形とする。【選択図】図３
0003167066.tif 000002
【実用新案登録請求の範囲】
【請求項１】
本考案はヘアのセットをする時、ドライヤーの熱を受ける手に直接熱風が当たり熱くて思い通りにセットが出来ないのでドライヤー熱を遮断して掌の熱さの負担を軽減することを目的とする他に、熱で痛み易いヘアの保護を目的としてマイナスイオンを発生する物質を付けた布を使用する。この布に熱を当てるとマイナスイオン効果を高める事が出来、より綺麗に仕上がる。
【請求項２】
より早く綺麗に仕上げる為にグローブの指を５本にする事も重要とする。
グローブを５本指にする事ではめていない時と同じ様に指が自由に動くので自在にセットが出来、ヘアの質をより保護し綺麗になる。
速やかに仕上がる結果、ドライヤーの使用時間が短時間で済み髪の傷みが減ると同時に省エネにもなる。
【請求項３】
本考案グローブは静電気の発生が少なく、ドライヤーで痛み易いヘアに優しく水分の吸収が良い綿の布を外側に使用している。そして内側のマイナスイオンを発生させる物質を付けた布や断熱素材の布も伸縮のないうえに分厚くなる三層構造の為指を動かしにくいので、手の甲側の布は薄くし一枚にした。マイナスイオンを発生させる物質を付けた布と断熱素材の布が掌側になるようにして指を難なく曲げられる様に工夫した。
【考案の詳細な説明】
【技術分野】
【０００１】  本考案は断熱効果とマイナスイオン効果を取り入れたヘアドライヤー用グローブに関するものである。
【背景技術】
【０００２】  ドライヤーでヘアをセットする時ドライヤーを持つ反対の手を添えてヘアの形を整える時、添える手に直接に熱風を受け、かなり熱いために思うようにセットが出来ない。思うように形を決められないために何度も熱風をかけなければならないのでヘアを傷めてしまう。
【考案の概要】
【考案が解決しようとする課題】
【０００３】  ドライヤーの熱で添える手が熱くなるのでタオルなどを用いているが、熱さを遮断することは殆ど出来ないだけでなく、指を動かすことが出来ず、思う様にヘアの形を決めることが出来ずに時間がかかり、直接熱風を受ける時間が長いのでヘアが傷む。
思い通りに整えることが難しいために解決しようとするものである。
【課題を解決するための手段】
【０００４】  本考案は添える方の手が熱を受けても熱くならない様に断熱素材の布を使用して熱を包み込み、髪型を維持することを可能にする。また髪のダメージを減らすためにマイナスイオンを発生させる物質を布に付ける。左右どちらの手でも使える構造にする。
５本の指が自由に動かせ自在にヘアスタイルをコントロール出来るグローブにする事により問題点を解決している。
【考案の効果】
【０００５】  上述の様に断熱素材の布を用いたグローブで熱を遮断し受け止め包み込みドライヤーの電源を切り、ほどよい湿度の余熱を維持する事により短時間でセットが出来る。
ドライヤーを当てる時間を短縮できる事と、マイナスイオン効果で乾燥を多少防げて髪の傷みを減少出来る。
５本の指が自由に動かせるのでただ添えているだけでなく、ヘアを自由に扱えて思うままに綺麗にセットできる。ドライヤーの使用時間が減るので省エネと二酸化炭素の排出が削減出来る。
【図面の簡単な説明】
【０００６】
【図１】平面図
【図２】断面図
【図３】実施例の図
【考案を実施するための形態】
【０００７】  グローブの中心に熱を遮断する為の断熱素材の布を使う。外側の面と断熱素材の布の間にマイナスイオンを発生させる布を使う。外側の布は水分を吸い易く、乾燥し易く、髪の毛に優しい綿地を使う。指を自由に動かす事が出来る様に５本指にする。
【０００８】  外布地１は静電気を起こさないように綿の布にして、ヘアをコントロールし易いように５本指にする。中布地２は乾燥で痛み易いヘアを保護するマイナスイオンを発生させる布にする。中布地３は断熱素材の布にする。
外布地１と中布地２と中布地３を重ねると厚くなり指関節を動かしにくくなるので手の甲側は外布地１の１枚だけにする。手の甲側を薄くすることにより指を動かし易くする。
【符号の説明】
【０００９】１  グローブの外布地  綿の布
２  グローブの中布地  マイナスイオンを発生させる布
３  グローブの中布地  断熱素材の布
【図１】
0003167066.tif 000003
【図２】
0003167066.tif 000004
【図３】
0003167066.tif 000005
【手続補正書】
【提出日】平成23年1月17日(2011.1.17)
【手続補正１】
【補正対象書類名】実用新案登録請求の範囲
【補正対象項目名】全文
【補正方法】変更
【補正の内容】
【実用新案登録請求の範囲】
【請求項１】
本考案は三層構造で外側の素材には綿の布、中間の素材にはマイナスイオンを発生させる物質を付けた布、内側の素材には断熱の布で形成したヘアドライヤー用断熱マイナスイオングローブ。
【請求項２】
指を自在に動かすことが出来る５本指の形を特徴とする請求項１記載のヘアドライヤー用断熱マイナスイオングローブ。
【請求項３】
静電気の発生が少なく水分の吸収力が良い綿の布を外側に使用し中間にはマイナスイオンを発生する物質を付けた布を使用することにより熱で痛み易いヘアの保護を特徴とする請求項１記載のヘアドライヤー用断熱マイナスイオングローブ。
(57)【要約】【課題】  家庭菜園等で野菜を栽培する場合の病害虫の被害対策やカラスやマングースなどの小動物の被害対策、及び風の強い季節や気温の低い季節の風や気温の対策のため、菜園への病害虫や小動物の侵入を防ぎ、風や気温を遮断し野菜を栽培するものである。【解決手段】  金属パイプに金網を溶接した枠組叉はプラスチック格子をつけたプラスチック枠組に目の細かい網やビニールシートを張り付けられるようにし、そして枠組を土に差し込めるようにし、小型の箱状のハウスを組立て中への病害虫や小動物の侵入を防ぎ無農薬で野菜を栽培でき、風の強い季節や気温の低い季節には風や気温を遮断し中の保温効果を上げることが出来る。  叉ひとつの枠組の高さは野菜の生長する高さにあわせ低くし、長さは一人〜二人で簡単に組み立てることが出来る長さにし、組み立てる枠組の数によりハウスの長さを調整する。【選択図】図１
0003167063.tif 000002
【実用新案登録請求の範囲】
【請求項１】
金属パイプに金網を溶接した枠組に、目の細かい網やビニールシートを張り付けられるようにし、縦枠組を土に差し込んで組立てる菜園用小型ハウス。
【請求項２】
プラスチック格子のついたプラスチック枠組に、目の細かい網やビニールシートを張り付けられるようにし、縦枠組を土に差し込んで組立てる菜園用小型ハウス。
【考案の詳細な説明】
【技術分野】
【０００１】  本考案は、家庭菜園等で野菜を栽培する組立式小型ハウスに関する。
【背景技術】
【０００２】  家庭菜園等で農薬を使用しないで野菜を栽培する場合、病害虫による被害対策が必要になる、叉小動物による被害対策や風及び気温対策も必要になる。
【考案の概要】
【考案が解決しようとする課題】
【０００３】  菜園への病害虫や小動物の侵入を防ぎ、叉風や気温を遮断し野菜を栽培するものである
【課題を解決するための手段】
【０００４】  本考案は、金属パイプに金網を溶接した枠組及びプラスチック格子のついたプラスチック枠組に、目の細かい網やビニールカバーを張り付けられるようにし、そして枠組を土に差し込めるようにし、小型の箱状のハウスを組立ててその中で野菜を栽培する。
叉ひとつの枠組の高さは野菜の生長する高さにあわせ低くし、長さは１人〜２人で簡単に組み立てることが出来る長さにし、組み立てる枠組の数によりハウスの長さを調整する。
【考案の効果】
【０００５】  本考案は、枠組に目の細かい網さらにビニールカバーを用途により張りわけ、ハウスの中への小動物や病害虫の侵入を防ぎ無農薬で野菜を栽培出来る、叉風の強い季節や気温の低い季節には風や気温を遮断し作物を風の被害から守り中の保温効果を上げることができる、叉上部の横枠組をはずした状態で作物を植え付け、手入れや収穫も簡単に出来る。
【図面の簡単な説明】
【０００６】
【図１】実施態様を示す図
【図２】縦枠組の概略図
【図３】横枠組の概略図
【図４】枠組の組立て概略図（側面図）
【図５】枠組の組立て概略図（上面図）
【図６】網、ビニールシートの張付け概略図（図４のＡ−Ａ断面図）
【図７】縦枠の連結の概略図（図４のＢ−Ｂ断面図）
【考案を実施するための形態】
【０００７】  １．横枠組は縦枠組と同じ長さにし、ハウスの長さを組立てる枠組の数により調整する。
２．横枠組を縦枠組に連結するボルトを締め付けるには、縦枠組の上部枠にナット叉はボルトを固定する。
３．縦枠組と縦枠組を連結するボルトを締め付けるため、図７の符号６のように、金網叉はプラスチック格子の取り付け位置を、縦枠組の縦枠（図７の符号８）の中心から外側へずらして接続する。
４．網、ビニールシートの張り付けは、図６の符号５の固定具をネジで枠に締め付けて固定する。
【符号説明】
【０００８】  １  ボルトを通す穴
２  ネジ（ビス）穴
３  ボルト
４  ネジ（ビス）
５  網、ビニールシートの固定具
６  金網叉はプラスッチク格子
７  網叉はビニールシート
８  縦枠
【図１】
0003167063.tif 000003
【図２】
0003167063.tif 000004
【図３】
0003167063.tif 000005
【図４】
0003167063.tif 000006
【図５】
0003167063.tif 000007
【図６】
0003167063.tif 000008
【図７】
0003167063.tif 000009
【手続補正書】
【提出日】平成23年1月14日(2011.1.14)
【手続補正１】
【補正対象書類名】実用新案登録請求の範囲
【補正対象項目名】全文
【補正方法】変更
【補正の内容】
【実用新案登録請求の範囲】
【請求項１】
金属パイプに金網を溶接した枠組みにネジ穴を備え、目の細かい網やビニールシートを固定具で枠にネジで締め付けて固定し、縦枠組を土に差し込んで枠組みをボルトで連結して組立てる菜園用小型ハウス。
【請求項２】
プラスチック格子のついたプラスチック枠組みにネジ穴を備え、目の細かい網やビニールシートを固定具で枠にネジで締め付けて固定し、縦枠組を土に差し込んで枠組みをボルトで連結して組立てる菜園用小型ハウス。
(57)【要約】      （修正有）【課題】棒状のスティックに、ふた付きの便器を取り付けて、ペットの散歩時に便を直接この便器に排泄させ、持ち帰ったあと水洗トイレに流し、この便器まで洗浄できる装置を提供する。【解決手段】スティック１とワンタッチで取り付け可能なふた付き便器２を籠またはバッに入れて、ペットの散歩時に手軽に持ち歩けるようにする。排便時に１に２を取り付け、ふたを取り外した２をペットの肛門の下に持って行き２の中に排便させる。【選択図】図１
0003167065.tif 000002
【実用新案登録請求の範囲】
【請求項１】
ワンタッチで取り付け可能なふた付き便器を先端に取り付けた、持ち歩き可能なペット（犬等）の散歩用便器スティック
【考案の詳細な説明】
【００１】  ペット（犬等）を散歩に連れて行くときに、１ふた付き便器と２伸縮可能なスティックをバッグの中に入れは持ち歩く
【００２】  排便時に２を伸ばし、その先に１をワンタッチで取り付け、１のふたをはずし犬の肛門の下に持っていき１の中に排便させる
【００３】  排便後、１に再びふたをして、２を縮めバッグに収納して持ち帰る
【００４】  １のふたをはずし水洗トイレに便を流し、２も水洗トイレの中で洗浄する
【００５】  散歩に行く前に、１にトイレットペパーを敷き、霧吹きで水等をかけておくと散歩から帰って洗浄するときに１に便が付かずにきれいに洗える
【考案の詳細な説明】
ワンタッチで取り付け可能なふた付き便器をスティックの先端にワンタッチで取り付けて、ペット（犬等）の排便時に便器部分をペット（犬等）の後ろ足の間に入れ、直接、便を収納できるスティックである。現在、犬の散歩用に使用されている用具は、スコップとビニール袋がほとんどである。これは、犬が一度地面に排出した便をスコップですくい、ビニール袋に収めるというものである。しかし、直接地面に排便させることは非衛生的であり、公道や私有地に直接排便させることは許されない行為である。
このスティックを使用することで便が地面に直接落ちるのを防ぎ、排便が衛生的となり、また、他人に不快な思いをさせないで済むことができる。一方、犬の散歩の同伴者にとっては、直接路上に排便させたり、私有地に排便させるという後ろめたさがなくなり、犬の散歩がより一層楽しくなるものである。大方のペット愛好家はこの排便処理に頭を悩ませているので、この散歩用便器の需要は大きく、環境にもやさしいということを考えれば、ペット業界をより明るくする。海外の需要も大きい。
また、犬は同じ場所に排便するという習性があり、この便器を使ってきちんと教育すれば、他の場所には排便をしないという特性を利用している。したがって、一度躾けてしまえば、犬はいつもこの便器に排便することになり、便の処理がいたって簡単になるというものである。なお、便器はふたがきちんとできるものであれば様々な形が考えられる。便器は自宅に持ち帰り便を水洗トイレに流した後、同時に水洗トイレの水流で洗えばいつもきれいで衛生的に保つことができる。散歩に出る前に、便器の中に濡らしたトイレットペーパーを敷いておくことで、便の跡が残らずきれいに洗えることも特質である。
【図面の簡単な説明】
【図１】  本案の平面図
【図２】  本案の正面図
【図３】  ペットの排便時に、本案を使用して糞便を地面に落とさず収納しているところ。
【図４】  ２と縮めた１を、籠またはバッグに収納して、散歩時に持ち歩きやすいようにしているところ。
【図５】  糞便を収納した７を自宅に持ち帰り、水洗トイレで糞便を流し、同時に６を同じく水洗トイレの水流で洗浄しているところ。
【符号の説明】１、伸縮可能なスティック。
２、取り外し可能なふたを便器に取り付けているとこと。
３、便器からはずしたふた。
４、ふたをはずした便器でペットの糞便を受ける部分。
５、１と２を結合したところ
６、５より３を取り外し１を伸ばしたところ。
７、２と縮めた１を、籠またはバッグに収納して、散歩時に持ち歩きやすいようにしているところ。
【図１】
0003167065.tif 000003
【図２】
0003167065.tif 000004
【図３】
0003167065.tif 000005
【図４】
0003167065.tif 000006
【図５】
0003167065.tif 000007
(57)【要約】      （修正有）【課題】何台でも連結でき、デスクの脚が邪魔にならずにどこでも１人から何人でも作業ができるデスクユニットを提供する。【解決手段】天板中央の下面に取り付けられるケーブルラックが、天板、脚のフレームをそれぞれとボルト等によって固定されて構造体の役割を成し、デスクユニット全体の剛性を高める。【選択図】図２
0003167062.tif 000002
【実用新案登録請求の範囲】
【請求項１】
デスクの中間の脚の幅がデスクの幅より４０ｃｍ以上狭くても、自立して何ｍでも伸ばすことができるデスク。テーブルトップの下にケーブルラックを取り付けることにより、ケーブルラックが脚やテーブルトップとジョイントされ、構造体の役割を果たすデスク。
【考案の詳細な説明】
【技術分野】
【０００１】  大きなデスクを１人で使用してもたくさんの人数で使用しても良いようにつくられたデスク。
【背景技術】
【０００２】  人がどこに座ってもデスクの脚が邪魔にならないように脚を考案したデスク。また、配線ケーブルのラックが構造体も兼ねているため、配線デスクの幅が３０ｃｍ以上ある。そして、ケーブルの取出しが大変容易くできる。
【先行技術文献】
【０００３】
【非特許文献】
【非特許文献】「世界のオフィスプランニング  これからのオフィス・デザイン」、株式会社六耀社発売、２００１年２月５日発行
【考案の概要】
【考案が解決しようとする課題】
【０００４】  デスクの長さを伸ばすことができ、その間に人が入ってもデスクを支える脚が人の足の邪魔にならないデスク。ケーブルを簡単に取り出すことができるケーブルラックが構造体を兼ねることにより、構造がシンプルになり、中間の脚の間を小さくすることが可能にすることができる。
【課題を解決するための手段】
【０００５】  ケーブルラックを構造体として使うことにより、Ｕの字を逆さにしたデスクの中間脚をデスクの幅より４０ｃｍ以上短くしても安定が保てる構造となる。また、ケーブルラックが幅３０ｃｍ以上になるため、たくさんのケーブルが一遍に収納でき、ラックの幅が広いために取り出し位置の設定の自由度が広がり使いやすくなる。
【図面の簡単な説明】
【０００６】
【図１】斜視図  図１は斜視図である。１７ａを増やすことができるため、長さはいくらでも長くすることが可能になる。１２ａ、１３ａは、脚の幅が１５ａのテーブルトップより片側は２０ｃｍ、両方で４０ｃｍ以上狭いため、脚のところに座っても脚が邪魔にならずに座ることができる。
【図２】パーツ分解の斜視図  図２はパーツ分解の斜視図である。２７ａはケーブルラックである。このケーブルラックを２５ａなどのケーブルトップや２１ａ、２２ａ、２３ａ、２４ａなどの脚とジョイントすることにより、ケーブルラックが構造体となるため、２２ａ、２３ａの脚が狭くても長いデスクが可能になる。
【図１】
0003167062.tif 000003
【図２】
0003167062.tif 000004
【手続補正書】
【提出日】平成23年1月5日(2011.1.5)
【手続補正１】
【補正対象書類名】実用新案登録請求の範囲
【補正対象項目名】全文
【補正方法】変更
【補正の内容】
【実用新案登録請求の範囲】
【請求項１】
直線状に２台、３台と連結していく対面型のデスクユニットにおいて、天板中央の下面に取り付けられるトレー上のケーブルラックが、天板、脚のフレームそれぞれとボルト等によって固定されることで構造体の役割を成し、デスクユニット全体の剛性を高めることにより、連結部の脚の奥行が天板の奥行よりも４０ｃｍ以上狭くても自立し、何台でも連結していくことができるデスクユニット。
(57)【要約】【課題】衝撃やキズに弱いメガネ等の小物を完全に載置し得、しかも載置面自体が微弱発光する小物載置用トレイの提供。【解決手段】ベース板の平坦な上面内に、出射光に赤外線を含まないＬＥＤを光源として面発光する導光板が配置固定されていると共に、当該導光板の上面を透光性布地で被覆して載置部が形成されていることを特徴とする小物載置用トレイ。【選択図】図３
0003167041.tif 000002
【実用新案登録請求の範囲】
【請求項１】
ベース板の平坦な上面内に、出射光に赤外線を含まないＬＥＤを光源として面発光する導光板が配置固定されていると共に、当該導光板の上面を透光性布地で被覆して載置部が形成されていることを特徴とする小物載置用トレイ。
【請求項２】
前記透光性布地が、導光板上面より大きい面積を有し、かつベース板上面より小さい面積を有する布地であって、当該導光板からはみ出した布地周縁が、導光板と導光板用嵌合枠との間に着脱自在に挟持固定されていることを特徴とする請求項１記載の小物載置用トレイ。
【考案の詳細な説明】
【技術分野】
【０００１】
本考案は、載置面が微弱発光する小物載置用トレイに関する。
【背景技術】
【０００２】
携帯電話やメガネといった生活する上で重要な役割を有する小物は、通常就寝前には身近な場所に置いておき、起床後すぐ手にとって使用できるようにしておくものである。しかし夜間に目が覚めてトイレヘ行く際など、周囲が暗いときは天井照明の常夜灯が点灯していてもメガネの場所がわからないことがあり、手探りで探さなければならないときがある。ましてや深夜に地震の揺れや火事の知らせで起こされたときにメガネがみつからないと、パニックに近い状況になり緊急の対応ができなくなるおそれがある。これは常夜灯がただ単に「照度の低い照明」でしかなく、部屋全体をぼんやり照らすのみで、特定の場所を照らす機能がないからである。
そこで、部分的照明が可能な光トレイが既に報告されている（例えば、特許文献１参照）。
【０００３】
しかしながら、当該光トレイは、ＥＬの上に太陽電池をレイアウトしたものに過ぎなかったため、衝撃やキズに弱いメガネや携帯電話等の小物の載置には不向きなのが実状であった。
【先行技術文献】
【特許文献】
【０００４】
【特許文献１】実開平５−１７８２６号公報
【考案の概要】
【考案が解決しようとする課題】
【０００５】
本考案は、上記の如き従来の実状に鑑みてなされたものであり、衝撃やキズに弱いメガネや携帯電話等の小物であっても安全に載置し得、しかも当該載置面自体が微弱発光する小物載置用トレイを提供することを課題としている。
【課題を解決するための手段】
【０００６】
本考案者は、上記の課題を解決すべく、種々検討を重ねた結果、出射光に赤外線を含まないＬＥＤと面発光する導光板を利用し、当該面発光する導光板を透光性布地で被覆して載置部とすれば、極めて良い結果が得られることを見い出し、本考案を完成した。
【０００７】
すなわち、本考案は、ベース板の平坦な上面内に、出射光に赤外線を含まないＬＥＤを光源として面発光する導光板が配置固定されていると共に、当該導光板の上面を透光性布地で被覆して載置部が形成されていることを特徴とする小物載置用トレイにより上記課題を解決したものである。
【考案の効果】
【０００８】
本考案によれば、静置部が透光性布地で被覆されているので、衝撃やキズに弱いメガネや携帯電話等の小物であっても安全に載置することができる。
しかも出射光に赤外線を含まないＬＥＤを光源としているので、透光性布地が発熱による影響を受けることなく、光を抑制しつつ透過する結果、眩しくない薄ぼんやりした微弱光を発する載置部が得られる。
【０００９】
また、透光性布地が、導光板上面より大きい面積を有し、かつベース板上面より小さい面積を有する布地であって、当該導光板からはみ出した布地周縁が、導光板と導光板用嵌合枠との間に着脱自在に挟持固定されている態様で実施すれば、当該透光性布地の交換が可能であるので、色や模様のバリエーションを変えることにより、飽きることのない部屋のインテリアとすることもできる。
【図面の簡単な説明】
【００１０】
【図１】本考案小物載置用トレイの斜視図。
【図２】本考案小物載置用トレイの底面図。
【図３】本考案小物載置用トレイの分解斜視図。
【考案を実施するための形態】
【００１１】
以下本考案の実施の形態を図面と共に説明する。
【００１２】
図面において、１０は長方形状のベース板で、平坦な上面を有し、当該平坦な上面内に、ベース板１０より小形の導光板２０が配置固定されている。この導光板２０は、出射光に赤外線を含まないＬＥＤ（図示省略）を光源として入射された光を内部の反射及び表面に形成されたドットパターンによる反射によって面発光するものである。ここに電源としては、例えばＡＣアダプタ（図示省略）が用いられ、導光板２０側のコネクタ２１にＡＣアダプタケーブル２２を介して接続せしめることにより、ＬＥＤに電気が供給されるようになっている。尚、２３は電源スイッチで、図２に示すように、ベース板１０の裏面に、当該ベース板１０をひっくり返すことなく横から指を差し入れてオン／オフ操作できるように付設されている。
【００１３】
導光板２０の上面は、透光性布地３０で被覆され、小物の載置部２０ａが形成されている。この透光性布地３０は、当該導光板２０の上面より大きい面積を有し、かつベース板１０より小さい面積を有しており、当該導光板２０からはみ出した透光性布地３０の周縁は、当該導光板２０の外形に対応した開口部４０ａを有する導光板用嵌合枠４０によって、導光板２０と嵌合枠４０との間に着脱自在に挟持固定されている。尚、透光性布地３０としては、光を完全に遮断するものでなければ、織布、不織布の如何を問わないが、厚手（１〜２ｍｍ程度）のものを用いるのが、クッション作用が得られ、メガネ等の小物を完全に載置する上で望ましい。
【符号の説明】
【００１４】
１０：ベース板
２０：導光板
２０ａ：載置部
２１：コネクタ
２２：ＡＣアダプタケーブル
２３：電源スイッチ
３０：透光性布地
４０：導光板用嵌合枠
４０ａ：開口部
【図１】
0003167041.tif 000003
【図２】
0003167041.tif 000004
【図３】
0003167041.tif 000005